(57)【要約】【課題】本発明は、電子機器装置の初期設定処理において、外部装置の数が増大した場合等でも、当該電子機器装置に不具合を発生させること無く、またユーザーの意思を反映させることが可能であり、かつ操作性が良く、無駄の処理を省略できる電子機器装置を提供する。【解決手段】本発明に係る電子機器装置１００はコントロール部１０３を備えており、コントロール部１０３は、初期設定情報収集機能、ＧＵＩ生成機能、及び初期設定情報格納機能を有する。初期設定情報収集機能は、外部装置１１５，１１６からの初期設定情報の取得を要求する機能である。ＧＵＩ生成機能は、ＧＵＩ生成部１１３にＧＵＩを生成させる機能である。初期設定情報格納機能は、外部から選択された初期設定値をメモリ部１０４に格納させる機能である。コントロール部１０３は、メモリ部１０４に格納された初期設定値に基づいた初期設定動作を行う。【選択図】  図５
2008219468.tif 000002
【特許請求の範囲】
【請求項１】
初期設定値を含む初期設定情報を外部装置から取得するインターフェースと、
前記初期設定値を格納するメモリ部と、
前記初期設定値を外部から選択可能とするＧＵＩを生成するＧＵＩ生成部と、
前記インターフェース、前記メモリ部、及び前記ＧＵＩ生成部を制御するコントロール部とを、備え、
前記コントロール部は、
前記インターフェースを介して、前記外部装置からの前記初期設定情報の取得を要求する初期設定情報収集機能と、
前記ＧＵＩ生成部に、前記取得した初期設定情報に含まれる前記初期設定値の候補をリスト化させ、前記ＧＵＩを生成させるＧＵＩ生成機能と、
外部から選択された前記初期設定値を、前記メモリ部に格納させる初期設定情報格納機能と、を有し、
前記コントロール部は、
前記初期設定情報格納機能により前記メモリ部に格納された前記初期設定値に基づいた、初期設定動作を行う、
ことを特徴とする電子機器装置。
【請求項２】
前記メモリ部には、
初期設定が完了したか否かを示すフラグが格納されており、
前記コントロール部は、
前記メモリ部に格納されている前記フラグを検知することにより、自機の初期設定が完了しているかを判定する初期設定完了判定機能を、さらに有している、
ことを特徴とする請求項１に記載の電子機器装置。
【請求項３】
前記コントロール部は、
前記インターフェースを介して、前記外部装置と自機との接続の有無を認識する外部装置認識機能を、さらに有している、
ことを特徴とする請求項１または請求項２に記載の電子機器装置。
【請求項４】
前記コントロール部は、
前記取得した初期設定情報を解析する初期設定情報解析機能を、さらに有している、
ことを特徴とする請求項１乃至請求項３のいずれかに記載の電子機器装置。
【請求項５】
前記初期設定情報には、
当該初期設定情報に含まれる前記初期設定値を自動選択するか否かを示す連動指示フラグが含まれており、
前記コントロール部は、
前記連動指示フラグが初期設定値を自動選択することを示す第一の状態である場合には、前記ＧＵＩを生成せず、前記第一の状態である前記連動指示フラグを有する前記初期設定情報に基づいて前記初期設定を行う、
ことを特徴とする請求項１に記載の電子機器装置。
【請求項６】
複数の前記取得した初期設定情報において、
前記コントロール部は、
前記第一の状態である前記連動指示フラグを含む前記初期設定情報が唯一である場合、または、前記第一の状態である前記連動指示フラグを含む前記初期設定情報が複数であり、かつ当該複数の初期設定情報に含まれる前記初期設定値が各々同じである場合には、前記ＧＵＩを生成せず、前記第一の状態である前記連動指示フラグを含む前記初期設定情報に基づいて前記初期設定を行い、
前記取得した初期設定情報全てにおいて、含まれる連動指示フラグが初期設定値を自動選択をしないことを示す第二の状態である場合、または、前記第一の状態である前記連動指示フラグを含む前記初期設定情報が複数であり、かつ当該複数の初期設定情報に含まれる前記初期設定値が異なる場合には、前記ＧＵＩを生成する、
ことを特徴とする請求項５に記載の電子機器装置。
【請求項７】
前記電子機器装置は、
ＡＶ機器である、
ことを特徴とする請求項１乃至請求項６のいずれかに記載の電子機器装置。
【発明の詳細な説明】
【技術分野】
【０００１】
この発明は、初期動作を実行する電子機器装置に係る発明であり、例えば、デジタル放送を受信することができるＡＶ機器に適用することができる。
【背景技術】
【０００２】
近年開発された地上デジタル放送では、放送信号を復調して得られるトランスポートストリーム（以下ＴＳと記す）内に、ネットワークインフォメーションテーブル（以下ＮＩＴと記す）を含むパケットが含まれている。ＮＩＴは、番組を受信するために必要な各種の情報を保持しており、当該ＮＩＴには、リモートコントロールキー識別子が含まれている。リモートコントロールキー識別子は、リモートコントローラ（以下リモコンと記す）のキー番号を番組選択用に割り振るために利用される。例えば、あるＴＳで送られてきたリモートコントロールキー識別子が「１」ならば、リモートコントローラのキー番号「１」が、当該リモートコントロールキー識別子に対応するＴＳ内の代表的番組を受信するためのキー番号として対応付けられる。
【０００３】
さらにＮＩＴには、サービス識別（Ｓｅｒｖｉｃｅ＿ＩＤ）用情報が含まれ、このサービス識別情報はサービスリスト（Ｓｅｒｖｉｃｅｌｉｓｔ）を示している。サービスリストとは、例えば受信したチャンネルのＴＳで放送されている番組のジャンル（複数あれば各ジャンル）、及び番組（代表的番組を含む）を選択するための選択番号を示すリストである。
【０００４】
一方、地上デジタル放送の規定には、次の（１）〜（５）の規定があり、地上デジタル放送受信機が最初に設置された時には、上記サービスリストは、当該規定に準拠して取得される。
【０００５】
（１）始めにユーザーが視聴者居住地域を設定する。（２）スキャン開始指示により、１３ｃｈから６２ｃｈをサーチして、サービスリストを取得する。（３）ＮＩＴ内の、リモートコントロールキー識別子（ｒｅｍｏｔｅ＿ｃｏｎｔｒｏｌ＿ｋｅｙ＿ｉｄ）に応じて、放送事業者が望むリモコンキー番号「１」〜「１２」をＴＳ毎に割り当てる。（これによって、ＴＳ毎の代表的なサービスがリモコンキーに割り付けられる。）（４）同一ＴＳが検出された場合には、Ｃ／ＮやＢＥＲをチェックして優位なキャリアを選択する。（５）同一リモコンキー番号が検出された場合の受信機処理については別途規定する。
【０００６】
なお、上記（１）の視聴者居住地域の設定は、ユーザーがグラフィカル・ユーザー・インターフェース（以下ＧＵＩと記す）上で設定することを想定している。
【０００７】
上記のように、地上デジタル放送受信機が最初に設置された時は、始めにユーザーが視聴者居住地域を設定することから、スキャンを含めた初期設定が始まる。上記初期設定におけるユーザーの操作をできる限り容易にするための改善策として、電源投入時に外部装置から初期設定情報を取得し、当該情報を管理及び運用させるものが提案されている（例えば、特許文献１参照）。
【０００８】
【特許文献１】特開２００１−１０９７０３号公報
【発明の開示】
【発明が解決しようとする課題】
【０００９】
ところで、上記特許文献１のように外部装置から初期設定情報を取得する場合には、接続された外部装置が複数存在することで異なる初期設定情報が取得されるようなケースや、接続された外部装置が全く存在しない、つまり初期設定情報が取得できないケースを想定すべきである。しかし、特許文献１では上記のケースが全く想定されておらず、当該特許文献１に係る技術を採用した場合には、装置としては重大な不具合が発生する可能性がある。
【００１０】
例えば、異なる初期設定情報を持つ複数の外部装置があった場合に、装置としていずれの情報を用いるべきか判断できない。したがって、装置の起動処理（初期設定）は行われず、ユーザーは装置が故障したものと判断しかねない。
【００１１】
なお、当該問題点を解決する方法として、複数の初期設定情報の内、先に取得した方（もしくは後に取得した方）の初期設定情報で初期設定を行う方法も想定できる。しかし、当該方法を採用した場合には、ユーザーの意図しない方の初期設定情報にて初期設定が行われてしまうことが十分起こり得る。
【００１２】
また、接続された外部装置が初期設定情報を持っていなかったケースや、外部装置が全く接続されていないケースについても、起動処理（初期設定）が行われないという問題が発生する。
【００１３】
さらに、特許文献１に開示されているような起動処理を行うと、初期設定完了後も電源投入の度に初期設定処理が行われるため、外部装置との通信がその度に発生し、その分だけ起動時間が遅くなる。さらに、特許文献１に係る技術において、外部装置の電源が投入されていない場合には、当該外部装置に対しても電源投入が要求される等、無駄な時間及び無駄な電力を消費することになる。
【００１４】
加えて、上記のように電源投入のたびに初期設定情報を取得するような場合、電源投入段階で接続されている外部装置により当該初期設定情報の内容が変わってしまう。したがって、毎回固定の初期設定を行いたいユーザーにとっては不便である。例えば、特許文献１においては、チャンネルリストを取得する例が記載されているが、例えば現在大阪にあるＡＶ機器の電源が投入された際、東京におけるチャンネルリストを保持した外部装置が接続されていると、当該ＡＶ機器は東京のチャンネルリストを取得してしまい、全くチャンネル選局できない状態となってしまう。
【００１５】
さらに、特許文献１に係る技術では、ユーザーが機器毎に異なる初期設定を行うつもりであったとしても、外部装置が初期設定情報を持っていれば当該初期設定情報を用いた初期設定が行われてしまう。このため、ユーザーの意思を全く反映できない初期設定が行われてしまうという問題点もある。
【００１６】
そこで、本発明は、電子機器装置の初期設定処理において、ネットワークを形成する機器の数が増大した場合もしくは機器の数が唯一となった場合でも、当該電子機器装置に不具合を発生させること無く、またユーザーの意思を反映させることが可能であり、かつ操作性が良く、無駄の処理を省略できる電子機器装置を提供することを目的とする。
【課題を解決するための手段】
【００１７】
上記の目的を達成するために、本発明に係る請求項１に記載の電子機器装置は、初期設定値を含む初期設定情報を外部装置から取得するインターフェースと、前記初期設定値を格納するメモリ部と、前記初期設定値を外部から選択可能とするＧＵＩを生成するＧＵＩ生成部と、前記インターフェース、前記メモリ部、及び前記ＧＵＩ生成部を制御するコントロール部とを、備え、前記コントロール部は、前記インターフェースを介して、前記外部装置からの前記初期設定情報の取得を要求する初期設定情報収集機能と、前記ＧＵＩ生成部に、前記取得した初期設定情報に含まれる前記初期設定値の候補をリスト化させ、前記ＧＵＩを生成させるＧＵＩ生成機能と、外部から選択された前記初期設定値を、前記メモリ部に格納させる初期設定情報格納機能と、を有し、前記コントロール部は、前記初期設定情報格納機能により前記メモリ部に格納された前記初期設定値に基づいた、初期設定動作を行う。
【発明の効果】
【００１８】
本発明の請求項１に記載の電子機器装置は、コントロール部は、インターフェースを介して、外部装置からの初期設定情報の取得を要求する初期設定情報収集機能と、ＧＵＩ生成部に、取得した初期設定情報に含まれる初期設定値の候補をリスト化させ、ＧＵＩを生成させるＧＵＩ生成機能と、外部から選択された初期設定値を、メモリ部に格納させる初期設定情報格納機能とを有する。そして、コントロール部は、初期設定情報格納機能によりメモリ部に格納された初期設定値に基づいた、初期設定動作を行う。
【００１９】
したがって、外部装置が複数接続されていることにより、電子機器装置が複数の異なる初期設定情報を取得した場合であっても、ユーザーが所望の初期設定情報を確実に選択できるようになる。よって、ユーザーの意思とは無関係に初期設定情報が取得タイミング等に応じて勝手に選択されるような不具合は無くなり、電子機器装置が起動しなくなる不具合も予防できる。また、ＧＵＩに対する操作により初期設定値を選択／決定できるので、操作性も向上する。
【発明を実施するための最良の形態】
【００２０】
以下、この発明をその実施の形態を示す図面に基づいて具体的に説明する。
【００２１】
＜実施の形態１＞
実施の形態１では、本発明に係るＡＶ（Audio Visual）機器（電子機器装置と把握できる）を３台を組み合わせた構成において、以下に示す具体的ケースにおける初期設定処理について詳細に記述する。ここで上記３台のＡＶ機器は、表示部を備えたテレビ及び２台のＳＴＢ（Ｓｅｔ  Ｔｏｐ  Ｂｏｘ）とする。
【００２２】
＜具体的ケース＞
上記具体的ケースとは、２台のＳＴＢにおいて既に初期設定が完了しており、かつ当該２台のＳＴＢの持つ初期設定値が異なるケースである。なお、以下のより具体的に動作の説明（図５を用いた一般的な動作の説明後の説明）では、出荷直後のテレビに電源が投入される際に実施される初期設定処理について詳述する。ここでは、テレビの初期設定処理ルーチンにおいて、テレビが外部装置（ここでは２台のＳＴＢ）から初期設定値を取得し、テレビが当該取得した情報を解析し、初期設定値の候補を選択するためのＧＵＩ（Ｇｒａｐｈｉｃａｌ  Ｕｓｅｒ  Ｉｎｔｅｒｆａｃｅ）を生成し、ユーザーがＧＵＩにより初期設定値を選択し、テレビの初期設定を行う様子を詳細に記述する。
【００２３】
＜システムの構成＞
図１は、実施の形態１に係るシステム（３台のＡＶ機器から成るシステム）の構成を示す図である。図１に示すように、当該システムは、１台のテレビ１００及び２台のＳＴＢ１１５，１１６から構成されている。
【００２４】
＜テレビ１００の構成＞
はじめに、テレビ１００の構成について説明する。
【００２５】
テレビ１００は、例えば地上デジタル放送波を受信し当該受信した放送波に基づいた映像及び音声を出力し、また外部入力された映像または音声を出力する。なお、外部からのユーザーによる操作を可能とするために、テレビ１００に対してリモコン１０１が配設されている。また、後述するように、テレビ１００には、複数の回路ブロック１０２〜１１４が配設されている。
【００２６】
アンテナ１０２は、例えば地上デジタル放送波を受信する。また、コントロール部１０３は、後述する、デジタルインターフェース１１０，１１１、メモリ部１０４、及びＧＵＩ生成部１１３等テレビ全体の制御を司る。当該コントロール部１０３は、後述する、初期設定完了判定機能、外部装置認識機能、初期設定情報収集機能、ＧＵＩ生成機能、及び初期設定情報解析機能等の各機能を有する。当該コントロール部１０３は、当該各機能に基づいて初期設定動作を行う。なお、コントロール部１０３は、例えばＣＰＵである。
【００２７】
メモリ部１０４は、初期設定が完了したか否かを示すフラグ及び初期設定情報を、格納する。ここで、当該フラグは、出荷直後は「ＦＡＬＳＥ」に設定されており、初期設定が正常に完了した際に「ＴＲＵＥ」に再設定されるものとする。また、リモコン受信部１０５は、リモコン１０１からの信号を受信する。
【００２８】
チューナ部１０６は、アンテナ１０２より入力された放送波より、特定の伝送チャンネルを抜き出す。また、復調部１０７は、チューナ部１０６より出力される信号を復調及び誤り訂正を行いＴＳを再生する。また、デコーダ部１０８は、復調部１０７にて取り出された複数の番組が多重されたＴＳから、ユーザーが選択した番組のパケット（映像、音声データ等）を抽出する。また、ＡＶデコーダ部１０９は、ＴＳデコーダ部１０８で抽出した映像パケット及び音声パケットの伸張を行い、デジタルの映像信号及び音声信号を出力する。
【００２９】
第一のデジタルインターフェース１１０は、外部機器であるＳＴＢ１１５からの映像信号及び／または音声信号を受信することができ、さらにテレビ１００とＳＴＢ１１５間で制御信号の双方向通信を可能とする。また、第二のデジタルインターフェース１１１は、外部機器であるＳＴＢ１１６からの映像信号及び／または音声信号を受信することができる。さらに、デジタルインターフェース１１１は、テレビ１００とＳＴＢ１１６間で制御信号の双方向通信を可能とする。また、当該デジタルインターフェース１１０，１１１は、外部装置であるＳＴＢ１１５，１１６との間で、初期設定値を含む初期設定情報を送受信する。
【００３０】
ここで、本実施の形態では、デジタルインターフェース１１０，１１１とＳＴＢ１１５，１１６との間におけるデジタル映像信号・音声信号の送受信は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）に準拠するものとする。
【００３１】
セレクタ部１１２は、ＡＶデコーダ部１０９、第一のデジタルインターフェース１１０、及び第二のデジタルインターフェース１１１より、１つの映像信号及び音声信号をコントロール部１０３の制御により選択し、出力する。また、ＧＵＩ生成部１１３は、コントロール部１０３の制御により、必要なＧＵＩ画面（以下ＧＵＩと記す）を生成するものであり、出力されたグラフィックは、セレクタ部１１２から出力された映像信号に重畳される。ＧＵＩ生成部１１３は、例えば初期設定値を外部から選択可能とするＧＵＩを生成する。また、表示部１１４は、セレクタ部１１２及びＧＵＩ生成部１１３から出力された映像信号及び／または音声信号が合成されて成る、映像及び音声を出力する。
【００３２】
テレビ１００は、第一のＳＴＢ１１５及び第二のＳＴＢ１１６に接続されている。各ＳＴＢ１１５，１１６は、映像信号及び／または音声信号を出力する。具体的に、第一のデジタルインターフェース１１０と第一のＳＴＢ１１５とは、デジタルケーブルであるＨＤＭＩケーブル１１７で接続されている。他方、第二のデジタルインターフェース１１１と第二のＳＴＢ１１６とは、デジタルケーブルであるＨＤＭＩケーブル１１８で接続されている。
【００３３】
＜ＳＴＢ１１５，１１６の構成＞
次に、各ＳＴＢ１１５，１１６の構成について説明する。図２は、第一のＳＴＢ１１５の内部構成を示すブロック図である。図３は、第二のＳＴＢ１１６の内部構成を示すブロック図である。図２と図３とで内部構成が同一である。ここで、各ＳＴＢ１１５，１１６は、デジタル放送を受信することができる装置である。
【００３４】
図１の構成と図２，３の構成とを比べると、図２，３の構成では、表示部１１４、セレクタ部１１２が削除され、またデジタルインターフェースも１つ減る。各デジタルインターフェース２１０，３１０以外の回路ブロックについては、図１で示した回路ブロックと同一名称の回路ブロック２０１〜２０９，３０１〜３０９は各々同一動作を行う。したがって、これらの回路ブロック２０１〜２０９，３０１〜３０９の説明は省略する。
【００３５】
デジタルインターフェース２１０，３１０は、テレビ１００に対して、デジタルの映像信号及び／または音声信号を送信することができる。さらに、デジタルインターフェース２１０，３１０は、テレビ１００とＳＴＢ１１５，１１６間で、制御信号及び初期設定値を含む初期設定情報の双方向通信を可能とする。
【００３６】
なお、上述の通り、本実施の形態では、ＨＤＭＩ規格を例にとって、デジタルインターフェース１１０，１１１，２１０，３１０を説明する。しかし、ＤＶＩやＩＥＥＥ１３９４等のデジタルインターフェース規格を採用することもできる。
【００３７】
＜デジタルインターフェース１１０，１１１，２１０，３１０の構成＞
次に、デジタルインターフェース１１０，１１１及びデジタルインターフェース２１０，３１０の構成について、図４を用いて説明する。なお、デジタル映像信号・音声信号を受信する点で、回路１１０，１１１は、デジタルインターフェース受信部と称することができる。これに対して、デジタル映像信号・音声信号を送信する点で、回路２１０，３１０は、デジタルインターフェース送信部と称することができる。
【００３８】
ここで、上述したＨＤＭＩ規格の仕様は、Ｈｉｇｈ  Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒ０．９に記載されている。ＨＤＭＩは、送信部（トランスミッター）と受信部（レシーバー）から成る。送信部は、ＳＴＢ、ＤＶＤ、ＶＴＲまたはパソコンといった映像・音声のソースとなる機器が備えるものである。一方、受信部は、テレビ、ディスプレイなどの映像や音声を提示（出力）可能な機器が備えるものである。また、送信部と受信部との間は、ＨＤＭＩケーブルで接続される。また、送信部及び受信部という名称は、上記の通り映像信号及び音声信号の送信及び受信の向きを示しているが、接続された機器間の通信は、後述するＣＥＣ（Ｃｏｎｓｕｍｅｒ  Ｅｌｅｃｔｒｏｎｉｃｓ  Ｃｏｎｔｒｏｌ）ライン４０７及びＤＤＣ（Ｄｉｓｐｌａｙ  Ｄａｔａ  Ｃｈａｎｎｅｌ）ライン４０８を用い、双方向性である。
【００３９】
ＣＥＣライン４０７を用いることにより、各機器間の双方向性の通信が行われる。ＣＥＣライン４０７上で通信されるメッセージの中には、本実施例においては例えば、チューナ・ステップ・ディクリメントメッセージ、チューナ・ステップ・インクリメントメッセージ、及びベンダー・コマンドメッセージ等がある。
【００４０】
ここで、チューナ・ステップ・ディクリメントメッセージ＜Ｔｕｎｅｒ  Ｓｔｅｐ  Ｄｅｃｒｅｍｅｎｔ＞は、メッセージ要求先の現在選局中のプリセットチャンネルから、ひとつ下のプリセットチャンネルに選局するものである。また、チューナ・ステップ・インクリメントメッセージ＜Ｔｕｎｅｒ  Ｓｔｅｐ  Ｉｎｃｒｅｍｅｎｔ＞は、メッセージ要求先の現在選局中のプリセットチャンネルから、ひとつ上のプリセットチャンネルに選局するものである。また、ベンダー・コマンドメッセージ＜Ｖｅｎｄｅｒ  Ｃｏｍｍａｎｄ＞は、ベンダー独自のデータ送受信に用いられ、本発明においては、初期設定情報の送受信に用いられる。
【００４１】
さて、図４において、デジタルインターフェース送信部２１０，３１０では、映像信号（Ｙ、Ｐｂ、Ｐｒ）とオーディオ信号（ＩＥＣ９５８）をＴＭＤＳエンコードする。そして、当該エンコード化後の信号を、高速伝送に適した形式で、デジタルインターフェース受信部１１０，１１１に向けて出力する。
【００４２】
ここで、上記ＴＭＤＳエンコードを実施するＴＭＤＳエンコーダ４０２では、映像データについては、８ビットパラレルＸ３チャンネルの映像データをシリアル１０ビットＸ３チャンネルに変換し、音声データについては、パラレル４ビットの音声データをシリアル１０ビットに変換する。なお、コントロール部２０３，３０３では、デジタルインターフェース送信部２１０，３１０の制御、及びＣＥＣライン４０７、ＤＤＣライン４０８を用いて接続された機器間の双方向通信の制御を行う。
【００４３】
また、デジタルインターフェース受信部１１０，１１１では、デジタルインターフェース送信部２１０，３１０より出力される映像データ、音声データをＴＭＤＳデコードすることにより、ベースバンドの映像データ、音声データを再生する。
【００４４】
ここで、上記ＴＭＤＳデコードを実施するＴＭＤＳデコーダ４０５では、映像データについては、シリアル１０ビットＸ３チャンネルの映像データを８ビットパラレルＸ３チャンネルに変換し、シリアル１０ビットの音声データをパラレル４ビットに変換する。なお、コントロール部１０３では、デジタルインターフェース受信部１１０，１１１の制御、及びＣＥＣライン４０７、ＤＤＣライン４０８を用いて接続された機器間の双方向通信の制御を行う。
【００４５】
また、ＣＥＣライン４０７は、民生機器用の制御信号を伝送するものである。また、ＤＤＣライン４０８は、ディスプレイの制御信号を伝送するものである。
【００４６】
＜本発明に係るＡＶ機器の動作の概要説明＞
次に、図５のフローチャートを用いて、本実施の形態１に係るＡＶ機器１００，１１５，１１６の電源投入時に実施される初期設定処理ルーチンについて説明する。なお、当該説明後、上述した具体的ケースにおける詳細（具体例）について説明する。なお、後述する各機能（一例では、初期設定完了判定機能やＧＵＩ生成機能等）はコントロール部１０３，２０３，３０３が有する。
【００４７】
本実施の形態１に係るＡＶ機器１００，１１５，１１６のコントロール部１０３，２０３，３０３は、電源投入直後、自機のメモリ部１０４，２０４，３０４に格納されている初期設定完了フラグ（以下、単にフラグと記す）を参照（検知）し、自機が初期設定済みであるか否かを判定する（ステップＳ５０１、ステップＳ５０２であり、初期設定完了判定機能と把握できる）。
【００４８】
ここで、当該フラグは出荷直後は「ＦＡＬＳＥ」に設定され、以後の操作で初期設定が正常に完了した場合に「ＴＲＵＥ」に再設定される。
【００４９】
ステップＳ５０２における判定の結果、すでに初期設定が完了していると判定されれば（ステップＳ５０２で「ＹＥＳ」）、本初期設定処理ルーチンは終了される。これに対して、初期設定が完了していないと判定されれば（ステップＳ５０２で「ＮＯ」）、ステップＳ５０３に進む。
【００５０】
ステップＳ５０２で初期設定が完了していないと判定された場合、コントロール部１０３，２０３，３０３は、自機のデジタルインターフェース１１０，１１１，２１０，３１０を介して、当該自機と接続されている他のＡＶ機器（外部装置）の有無を判断・認識する（ステップＳ５０３，Ｓ５０４であり、外部装置認識機能と把握できる）。
【００５１】
ステップＳ５０４の判断の結果、外部装置が有りと認識・判断された場合には（ステップＳ５０４で「ＹＥＳ」）、ステップＳ５０５に進む。これに対して、外部装置が無いと認識・判断された場合には（ステップＳ５０４で「ＮＯ」）、初期設定情報を外部装置から入手不可能となるため、ステップＳ５１０に進む。
【００５２】
ステップＳ５０４で外部装置が有りと判断された場合、コントロール部１０３，２０３，３０３は、自機のデジタルインターフェース１１０，１１１，２１０，３１０を介して認識された全ての外部装置に対して、自機のデジタルインターフェース１１０，１１１，２１０，３１０及びＣＥＣライン４０７を用いて、＜Ｖｅｎｄｅｒ  Ｃｏｍｍａｎｄ＞を送信し、当該外部装置から初期設定情報の取得要求を行う（ステップＳ５０５であり、初期設定情報収集機能と把握できる）。
【００５３】
その後、当該初期設定情報の取得要求に対して、少なくとも１つ以上の外部装置から初期設定情報の応答があった場合（少なくとも１以上の初期設定情報の取得があった場合）には、コントロール部１０３，２０３，３０３は、取得した初期設定情報を解析する（ステップＳ５０５であり、初期設定情報解析機能と把握できる）。そして、当該解析の結果、取得した初期設定情報が有効な値であるか否かを判断する（ステップＳ５０６）。
【００５４】
ステップＳ５０６の結果、取得した初期設定情報に有効な値が得られれば（ステップＳ５０６で「ＹＥＳ」）、ステップＳ５０７に進む。これに対して、外部装置から初期設定情報の応答が無い場合または取得した初期設定情報が有効な値でない場合には（ステップＳ５０６で「ＮＯ」）、ステップＳ５１０に進む。
【００５５】
ステップＳ５０６で外部装置から取得した初期設定値に有効な値があった場合には、コントロール部１０３，２０３，３０３がＧＵＩ生成部１１３，２１１，３１１を制御することにより、取得した初期設定情報に含まれる初期設定値の候補をリスト化し、ユーザーに初期設定値を選択させることができるＧＵＩを生成し、生成したＧＵＩを出力する（ステップＳ５０７であり、ＧＵＩ生成機能と把握できる）。
【００５６】
当該ステップＳ５０７の処理の後、ステップＳ５０８に進み、出力（表示または提示）された上記ＧＵＩを基にユーザーが外部装置から取得した初期設定値を選択／決定したかを否かを、コントロール部１０３，２０３，３０３が判断する（ステップＳ５０８）。
【００５７】
ユーザーが外部装置から取得した初期設定値を選択／決定した場合には（ステップＳ５０８で「ＹＥＳ」）、ステップＳ５０９に進む。これに対して、ユーザーが外部装置から取得した初期設定値以外の初期設定値の選択したい意図を選択／決定した場合には（ステップＳ５０８で「ＮＯ」）、ステップＳ５１０に進む。
【００５８】
さて、ステップＳ５０４，Ｓ５０６，Ｓ５０８の判断の結果ステップＳ５１０に進んだ場合には、コントロール部１０３，２０３，３０３がＧＵＩ生成部１１３，２１１，３１１を制御することにより、初期設定値として取り得る全ての初期設定値をリスト化し、ユーザーに初期設定値を選択させるＧＵＩを生成、表示（提示）する（ステップＳ５１０、なお当該機能もコントロール部１０３，２０３，３０３が有するＧＵＩ生成機能と解することができる）。
【００５９】
ステップＳ５１０においてＧＵＩが表示（提示）され、当該ＧＵＩに対してユーザーが所望の初期設定値を選択／決定する操作を行い（ステップＳ５１１）、その後ステップＳ５０９に進む。
【００６０】
ステップＳ５０９では、コントロール部１０３，２０３，３０３が、ユーザーが選択／決定した初期設定値をメモリ部１０４，２０４，３０４に上書きし、さらに当該メモリ部１０４，２０４，３０４に格納されたいたフラグを“ＦＡＬＳＥ”から“ＴＲＵＥ”に更新する（ステップＳ５０９であり、初期設定情報更新機能と把握できる）。その後、ステップＳ５１２に進む。
【００６１】
その後、ステップＳ５０９でメモリ部１０４，２０４，３０４に格納された初期設定値に基づいて、コントロール部１０３，２０３，３０３の制御の下、初期スキャン等の必要な処理（初期設定動作と把握できる）を行い（ステップＳ５１２）、処理ルーチンを終了する。
【００６２】
＜具体的ケースにおける本発明に係るＡＶ機器の動作説明＞
さて、上述した具体的ケースにおける初期設定処理ルーチンについて詳細に述べる。
【００６３】
また前提として、各機器１００，１１５，１１６が有するメモリ部１０４，２０４，３０４に格納されている初期設定情報は、居住地域コードのみで構成されるものとする。
【００６４】
ここで、当該居住地域コードは、例えば「社団法人電波産業会（ＡＲＩＢ）」が策定した「地上デジタルテレビジョン放送運用規定（ＡＲＩＢ  ＴＲ−Ｂ１４）」の第７編に記載のある「地域識別」に対応させるものとする（参考として図６に地域識別の一覧を示す）。当該「地域識別」は、出荷直後は「０（未定義）」に設定され、以降の初期設定値処理において有効な値（つまり、図６における「未定義」以外の値）が設定される度に書き換えられる。これからの説明では、テレビ１００は出荷直後のため、メモリ部１０４には「０（未定義）」が設定されており、第一のＳＴＢ１１５（メモリ部２０４）では「４０（大阪）」、第二のＳＴＢ１１６（メモリ部３０４）では「４１（京都）」が設定されているものとする。
【００６５】
はじめに、電源投入直後、テレビ１００のコントロール部１０３は、上述した初期設定完了判定機能によりメモリ部１０４に格納されているフラグを参照する（ステップＳ５０１）。そして、コントロール部１０３は、当該フラグを基に本機器１００が初期設定済みであるか否かを判定する（ステップＳ５０２）。
【００６６】
ここで、テレビ１００は出荷直後のため、メモリ部１０４において当該フラグが「ＦＡＬＳＥ」で設定されている。したがって、コントロール部１０３は、初期設定が完了していないと判定し（ステップＳ５０２で「ＮＯ」）、ステップＳ５０３に進む。
【００６７】
次に、コントロール部１０３は、外部装置認識機能により、第一のデジタルインターフェース１１０及び第二のデジタルインターフェース１１１を用いて、外部装置の有無を確認する処理を行う（ステップＳ５０３）。
【００６８】
ここでは、外部装置としてＳＴＢ１１５，１１６が認識可能であるため（ステップＳ５０４で「ＹＥＳ」）、ステップＳ５０５に進む。
【００６９】
次に、テレビ１００のコントロール部１０３は、初期設定情報収集機能により、第一のデジタルインターフェース受信部１１０及び第二のデジタルインターフェース受信部１１１を制御し、次の制御（処理）を行う。まず、認識された全ての外部装置（ここでは、ＳＴＢ１１５，１１６）に対して、ＣＥＣライン４０７を用いて、＜Ｖｅｎｄｅｒ  Ｃｏｍｍａｎｄ＞を送信することにより、初期設定情報の取得要求を行う（ステップＳ５０５）。
【００７０】
当該取得要求を受信した第一のＳＴＢ１１５は、コントロール部２０３の制御の下、メモリ部２０４から初期設定情報（ここでは「地域識別＝４０（大阪）」）を読み出す。そして、コントロール部２０３は、デジタルインターフェース２１０を制御し、要求元のテレビ１００に初期設定情報を返す（ステップＳ５０５）。他方、当該取得要求を受信した第二のＳＴＢ１１６は、コントロール部３０３の制御の下、メモリ部３０４から初期設定情報（ここでは「地域識別＝４１（京都）」）を読み出す。そして、コントロール部３０３は、デジタルインターフェース３１０を制御し、要求元のテレビ１００に初期設定情報を返す（ステップＳ５０５）。
【００７１】
２台のＳＴＢ１１５，１１６から初期設定情報を取得したテレビ１００は、コントロール部１０３の初期設定情報解析機能により、取得した初期設定情報を解析する（ステップＳ５０５）。
【００７２】
ここでの説明では当該解析の結果、取得した初期設定情報が有効な値であるので、つまり取得した初期設定情報が未定義以外であるので（ステップＳ５０６で「ＹＥＳ」）、ステップＳ５０７に進む。
【００７３】
次に、テレビ１００のコントロール部１０３は、ＧＵＩ生成機能によりＧＵＩ生成部１１３を制御することにより、初期設定値の候補をリスト化し、さらに外部からユーザーに初期設定値を選択させることができるＧＵＩを生成し、当該生成したＧＵＩを表示部１１４に表示する（ステップＳ５０７）。
【００７４】
図７に当該ＧＵＩの一例を示す。図７において表示部１１４には、ステップＳ５０７においてリストアップされた項目が表示される。また、表示されている項目を選択するためのカーソル７０１も表示部１１４に表示される。ユーザーは、リモコン１０１を用いてカーソル移動、及び初期設定値の選択／決定等を行う。
【００７５】
ここで、図７に表示されている居住地域のリストについて述べる。リストの「１」及び「２」に示される居住地域は、前記ステップＳ５０５及びＳ５０６にて取得した、外部装置（ＳＴＢ１１５，１１６）の初期設定値と対応しており初期設定値の候補として優先的に表示されている。
【００７６】
ユーザーが、図７のＧＵＩが表示されている状況において、例えば「１．大阪」を選択／決定したとする（ステップＳ５０８で「ＹＥＳ」）。この場合には、ステップＳ５０９に進む。
【００７７】
なお、ステップＳ５０８において「ＮＯ」と判断される場合について言及する。図８は、ステップＳ５１０において表示されるＧＵＩの一例を示す図である。
【００７８】
ステップＳ５１０に進むケースとは、外部装置が無いか、あっても有効な初期設定情報が取得できなかった場合である。このため、ユーザーに対しては初期設定値として取り得る全ての初期設定値をリスト化したＧＵＩを生成し、生成したＧＵＩを表示（提示）する（図８参照）。図８に例示されているように、表示部１１４には、図６で示した居住地域が網羅されている。ユーザーは、表示部１１４に表示された当該ＧＵＩに対して操作を施すことにより（カーソル８０１を移動させることにより）、ユーザーが所望する初期設定値を選択／決定する（ステップＳ５１１）。その後、ステップＳ５０９に進む。
【００７９】
さて本題に戻し、次に、テレビ１００のコントロール部１０３は、初期設定情報更新機能により、当該設定値でもってメモリ部１０４に格納されている初期設定情報を書き換る（ステップＳ５０９）。さらに、コントロール部１０３は、初期設定情報更新機能により、メモリ部１０４に格納されているフラグを“ＦＡＬＳＥ”から“ＴＲＵＥ”に更新する（ステップＳ５０９）。その後、ステップＳ５１２に進む。
【００８０】
次に、コントロール部１０３の制御により、居住地域を「１．大阪」として、初期スキャン等の必要な初期設定処理を行う（ステップＳ５１２）。そして、初期設定処理ルーチンを終了する。
【００８１】
以上の説明のように、実施の形態１におけるＡＶ機器（電子機器装置）１００，１１５，１１６においては、コントロール部１０３，２０３，３０３は、自身の初期設定が完了しているか否かを判定する初期設定完了判定機能を有している。
【００８２】
したがって、すでに初期設定済みの場合には、起動の度に初期設定処理を行わせないよう制御することができる。よって、余計な処理を行わないようにすることができるため、起動時間が短縮される。つまり、無駄の処理を省略できるので、ＡＶ機器（電子機器装置）１００，１１５，１１６の性能を向上させることができる。さらに、接続される外部装置が変更された場合であっても、初期設定済みの場合には、上記の通り初期設定処理を行わないよう制御される。したがって、一度初期設定が完了されれば毎回同一条件でＡＶ機器（電子機器装置）１００，１１５，１１６を起動でき、ユーザーの意図に反して初期設定情報（初期設定値）が上書きされるようなことは無くなる。
【００８３】
また、実施の形態１におけるＡＶ機器（電子機器装置）１００，１１５，１１６においては、コントロール部１０３，２０３，３０３は、外部装置（ＳＴＢ１１５，１１６）の有無を認識する外部装置認識機能を有している。
【００８４】
したがって、外部装置（ＳＴＢ１１５，１１６）が無い場合にも、取り得る全ての初期設定値をリスト化して適切なＧＵＩをユーザーに表示する等して対処する判断も可能となる。よって、初期設定情報を外部から取得できないためにＡＶ機器（電子機器装置）１００，１１５，１１６が起動しなくなる、というような重大な不具合の発生を防止することができる。
【００８５】
また、実施の形態１におけるＡＶ機器（電子機器装置）１００，１１５，１１６においては、コントロール部１０３，２０３，３０３は、初期設定値の候補をリスト化し、初期設定値の選択を促すＧＵＩを生成・表示するＧＵＩ生成機能を有している。
【００８６】
したがって、外部装置が複数接続されていることにより、ＡＶ機器（電子機器装置）１００，１１５，１１６が複数の異なる初期設定情報を取得した場合であっても、ユーザーが所望の初期設定情報を確実に選択できるようになる。よって、ユーザーの意思とは無関係に初期設定情報が取得タイミング等に応じて勝手に選択されるような不具合は無くなり、ＡＶ機器（電子機器装置）１００，１１５，１１６が起動しなくなる不具合も予防できる。
【００８７】
また、ＧＵＩに対する操作により初期設定値を選択／決定できるので、操作性も向上する。
【００８８】
さらに、初期設定情報解析機能により、ステップＳ５０７で表示されるＧＵＩでは、最も妥当と思われる候補のみをリスト化して表示している。このため、図８に示すしたような膨大な設定値候補からユーザーが所望の初期設定値（例えば居住地域）を探し出す、というような手間を省くことができる。
【００８９】
なお、以上の説明においては、初期設定情報として居住地域を例にとっていいたが、その他郵便番号、視聴制限設定情報、字幕設定情報等にしてもよいし、それらを組み合わせたものとしてもよい。
【００９０】
＜実施の形態２＞
実施の形態２では、本発明に係るＡＶ機器（電子機器装置）１００，１１５，１１６が、メモリ部１０４，２０４，３０４に格納している初期設定情報に「連動指示フラグ」が含まれる場合に関する。
【００９１】
本実施の形態２に係るシステム構成は、図１〜４と同じであるため、説明にはこれらの図を用いる。以下、図９のフローチャートを用いて、本実施の形態に係るＡＶ機器（電子機器装置）１００，１１５，１１６の初期設定動作処理ルーチンについて詳細に記述する。
【００９２】
ここで、図９に示したフロチャートには、図５に示したフローチャートにステップＳ９０１及びステップＳ９０２に追加されている。それ以外のステップは、図９と図５とで同じである。したがって、新たに追加されたステップＳ９０１，Ｓ９０２を中心に説明する。
【００９３】
ステップＳ５０６で初期設定情報を解析した結果、初期設定値として有効な値があったとする（ステップＳ５０６で「ＹＥＳ」）。当該場合には、ＡＶ機器１００，１１５，１１６のコントロール部１０３、２０３，３０３は、当該有効な値を持つ初期設定情報に含まれる「連動指示フラグ」を参照する（ステップＳ９０１であり、上記初期設定情報解析機能により実施される）。つまり、本実施の形態では、初期設定情報には、初期設定値及び連動指示フラグが含まれている。
【００９４】
ここで、連動指示フラグとは、当該連動指示フラグを有する初期設定情報に含まれる初期設定値を、自動選択するか否かを示すフラグである。連動指示フラグが「ＴＲＵＥ」の状態（第一の状態と把握できる）である場合は、当該連動指示フラグと同一の初期設定情報に含まれている初期設定値を自動選択することを示す。これに対して、連動指示フラグが「ＦＡＬＳＥ」の状態（第二の状態と把握できる）である場合は、当該連動指示フラグと同一の初期設定情報に含まれている初期設定値を自動選択しないことを示す。
【００９５】
さて、コントロール部１０３，２０３，３０３が、連動指示フラグが上記「ＴＲＵＥ」の状態である場合には、ステップＳ５０７で述べたＧＵＩの生成を行わず、当該「ＴＲＵＥ」の状態である連動指示フラグを有する初期設定情報に基づいて、初期設定処理を続行する（ステップＳ９０２）。以下、より具体的に説明する。
【００９６】
ＡＶ機器１００，１１５，１１６が、外部機器より複数の初期設定情報を取得したとする。この場合、コントロール部１０３，２０３，３０３は、初期設定解析機能より、これら取得した複数の初期設定情報の連動指示フラグの状態を解析する（ステップＳ９０１）。
【００９７】
ステップＳ９０１の解析結果が、「ＴＲＵＥ」の状態である連動指示フラグを含む初期設定情報が唯一である場合、または、「ＴＲＵＥ」の状態である連動指示フラグを含む初期設定情報が複数であり、かつ当該複数の初期設定情報に含まれる初期設定値が各々同じである場合だとする（ステップＳ９０１で「ＹＥＳ」）。当該場合には、ステップＳ５０７で述べたＧＵＩの生成を行わず、コントロール部１０３，２０３，３０３は、当該「ＴＲＵＥ」の状態である連動指示フラグを含む初期設定情報に含まれている、初期設定値を、ステップＳ５０９で更新する初期設定値として自動選択／決定する（ステップＳ９０２）。
【００９８】
これに対して、ステップＳ９０１の解析結果が、取得した初期設定情報全てにおいて含まれる連動指示フラグが「ＦＡＬＳＥ」の状態である場合、または、「ＴＲＵＥ」の状態である連動指示フラグを含む初期設定情報が複数であり、かつ当該複数の初期設定情報に含まれる初期設定値が各々異なる場合だとする（ステップＳ９０１で「ＮＯ」）。当該場合には、ステップＳ５０７に進み、ＧＵＩを生成する。なお、ＧＵＩの生成方法は、実施の形態１と同様である。
【００９９】
以上の説明のように、実施の形態２におけるＡＶ機器１００，１１５，１１６においては、初期設定情報に上記連動指示フラグが含まれている。
【０１００】
したがって、ユーザーは将来、外部装置を購入した場合に、現在所有しているＡＶ機器の初期設定情報に合わせて初期設定を行わせるか否かの意思を予め設定できる。このため、当該連動指示フラグを「ＴＲＵＥ」に設定した場合には、新規接続した外部装置の初期設定処理において、ユーザーが初期設定値を選択する処理が省ける。よって、ユーザーにとって初期設定の操作がさらに容易となり、操作性の良いＡＶ機器１００，１１５，１１６を提供できる。また、当該連動指示フラグを「ＦＡＬＳＥ」に設定した場合には、新規に接続した外部装置の初期設定処理において、現在接続され外部装置のどの初期設定情報を用いるかを初期設定値選択の段階（ステップＳ５０８）で確認できる。よって、不意に初期設定が書き換わってしまう障害を回避できる。
【図面の簡単な説明】
【０１０１】
【図１】実施の形態１に係るシステムの構成及びテレビの内部構成を示すブロック図である。
【図２】第一のＳＴＢの内部構成を示すブロック図である。
【図３】第二のＳＴＢの内部構成を示すブロック図である。
【図４】送信側及び受信側のデジタルインターフェースの内部構成及び接続状態を示す図である。
【図５】実施の形態１に係るＡＶ機器の初期設定動作の流れを示すフローチャートである。
【図６】地域識別一覧の一例を示す図である。
【図７】表示部に表示されるＧＵＩの一例を示す図である。
【図８】表示部に表示されるＧＵＩの他の例を示す図である。
【図９】実施の形態２に係るＡＶ機器の初期設定動作の流れを示すフローチャートである。
【符号の説明】
【０１０２】
１００  テレビ、１０１，２０１，３０１  リモコン、１０２，２０２，３０２  アンテナ、１０３，２０３，３０３  コントロール部、１０４，２０４，３０４  メモリ部、１０５，２０５，３０５  リモコン受信部、１０６，２０６，３０６  チューナ部、１０７，２０７，３０７  復調部、１０８，２０８，３０８  ＴＳデコーダ部、１０９，２０９，３０９  ＡＶデコーダ部、１１０  第一のデジタルインターフェース（受信側）、１１１  第二のデジタルインターフェース（受信側）、１１２  セレクタ部、１１３，２１１，３１１  ＧＵＩ生成部、１１４  表示部、１１５  第一のＳＴＢ、１１６  第二のＳＴＢ、１１７，１１８  デジタルケーブル、２１０，３１０  デジタルインターフェース（送信側）、４０２  ＴＭＤＳエンコーダ、４０５  ＴＭＤＳデコーダ。
【図１】
2008219468.tif 000003
【図２】
2008219468.tif 000004
【図３】
2008219468.tif 000005
【図４】
2008219468.tif 000006
【図５】
2008219468.tif 000007
【図６】
2008219468.tif 000008
【図７】
2008219468.tif 000009
【図８】
2008219468.tif 000010
【図９】
2008219468.tif 000011